(57)【特許請求の範囲】
【請求項１】
浄水を浄水器外に吐水する浄水出口の外周部に溝部を設けた蛇口直結型浄水器であって、
該溝部は、浄水出口外周部より１〜３ｍｍ離間した位置に設けられ、かつ、浄水出口面に対して凹状となった深さが１〜３ｍｍ、幅が３〜５ｍｍの溝構造であることを特徴とする蛇口直結型浄水器。
【請求項２】
浄水を浄水器外に吐水する浄水出口の外周部に溝部を設けた蛇口直結型浄水器であって、
該溝部は、最外周部に配設した浄水出口から１〜３ｍｍの間隔をあけて外側に設けられ、かつ、浄水出口面に対して凹状となった深さが１〜３ｍｍ、幅が３〜５ｍｍの溝構造であることを特徴とする蛇口直結型浄水器。
【発明の詳細な説明】
【０００１】
【産業上の利用分野】
本発明は、水道の蛇口に直接取り付けて使用する蛇口直結型浄水器に関する。
【０００２】
【従来の技術】
従来より、活性炭等の吸着剤や中空糸膜を格納したカートリッジにより水道水の浄化を行う浄水器が知られている。これら浄水器は、活性炭によりカルキ臭、カビ臭を除去し、中空糸膜により濁度成分、細菌等を除去するのもで、浄水器の形態も、据置型、蛇口直結型、アンダーシンク型等が知られている。
【０００３】
これら浄水器の内、蛇口直結型浄水器は、コンパクトで、蛇口に直接取り付けるため流し台上の占有面積も小さくできるという利点が注目され、浄水器の主流になっている。このような蛇口直結型浄水器は、通常、活性炭や中空糸膜を充填したカートリッジに水道水を供給して浄化した浄水と、水道水とを別々に供給でき、その切り換えは、切り換えレバーを操作することにより使用目的に応じて選択的に行うことができる。
【０００４】
蛇口直結型浄水器より水道水をそのまま吐出する場合には、切り換えレバーにより水道水をカートリッジに供給せずに、浄水器の下端面に設けられた原水出口より吐水が行われる。
【０００５】
この浄水器より浄水の吐水を行う場合には、切り換えレバーを操作して、水道水をカートリッジ内へ供給して浄水となし、浄水器の下端面に設けられた浄水出口より吐水が行われる。浄水を吐水する浄水出口は、通常単数孔よりストレート状に浄水を吐水するものや、複数個設けて、シャワー状に吐水するものがある。
【０００６】
【発明が解決しようとする課題】
従来の蛇口直結型浄水器においては、浄水器の下端面に浄水を吐出する浄水出口が配設されているので、その使用の際に飛び散った水滴や、濡れた手で浄水器外壁面に接触した際浄水器外壁面に付着した付着水が、浄水器の外壁面を伝わり、浄水出口や、浄水出口の内部に設けられた浄水を浄水出口に送水する浄水通路が雑菌により汚染される場合もある。
【０００７】
本発明は、このような不都合に鑑み、雑菌等により汚染された水滴が浄水器の外壁面に付着した場合においても、浄水出口を汚染することがなく、浄水を逆汚染することのない、安全な浄水を吐水することができる蛇口直結型浄水器を提供することを目的とする。
【０００８】
【課題を解決するための手段】
本発明は、蛇口直結型浄水器において、浄水を浄水器外に吐水する浄水出口の外周部に溝部を設けたことを特徴とする蛇口直結型浄水器にある。
本発明の蛇口直結型浄水器の浄水出口の外周部に設けられる溝部は、浄水出口面に対して凹状となった溝構造を有し、その形状は浄水出口を囲む形状であればよく、円形、楕円形、正方形等の何れであっても良い。
溝部の断面形状は適宜選択すれば良く、断面形状が半円状、楕円半円状、三角形状、四角形状等浄水器の使用目的に合わせた所望の形状とすることができる。
【０００９】
本発明の蛇口直結型浄水器においては、浄水出口が単数であっても、複数個有していてもよい。
溝部は、浄水出口が１つの場合には、溝部と浄水出口外周部が１〜３ｍｍの間隔となるように設けることがこのましい。浄水出口が複数個設けられている場合には、最外周部に配設した浄水出口から１〜３ｍｍの間隔をあけて外側に設けられることが好ましい。
【００１０】
浄水出口と溝部の間隔が狭すぎると、浄水器外壁面より落ちてきた水を溝部で遮断できずに、水滴が浄水出口に付着する傾向があり、逆に浄水出口と溝部の間隔が広すぎると、浄水出口と溝部との間に汚染された水滴が直接付着してしまう場合も生ずるので好ましくない。
【００１１】
溝部の深さは、浄水出口の材質の厚み等により、適宜選択すればよいが、浅すぎると水滴の通過を阻止することができないので、１〜３ｍｍとするのが好ましい。
また、溝部の幅は、適宜選択すればよいが、狭すぎると水滴が溝部を越えて浄水吐出口へ到達するのを阻止することができないので３〜５ｍｍの幅とすることが好ましい。
【００１２】
【作用】
本発明の蛇口直結型浄水器では、浄水出口の周りに溝部を有するため、浄水器の外壁部に付着した汚染された水滴が、外壁面を伝って溝部に到達しても、溝部において移動を停止して乾燥するか、或いは浄水器の下方へ落下するので、水滴が浄水出口まで到達することがなく、水滴による浄水出口の汚染を防止することができる。
【００１３】
【実施例】
以下、本発明を図面に示す実施例により、具体的に説明する。
図１は、本発明の一実施例であり、複数個設けられた浄水出口の周りに円周状の溝部を有する蛇口直結型浄水器の正面図（浄水出口部付近のみ断面図）であり、図２は本実施例の蛇口直結型浄水器の底面図である。
【００１４】
本発明の蛇口直結型浄水器は、活性炭、中空糸膜を内蔵した内蔵したカートリッジ１、複数個の浄水出口２、蛇口取付部３、切換レバー４、水流切換機構部５、溝部６、原水出口７より構成される。
水道水は、蛇口に取り付けられた蛇口取付部より浄水器内に送水される。切換レバー４により水道水を選択した場合には、水道水が切換機構部５からそのまま浄水器の下端面に設けられた原水出口７より吐水される。
【００１５】
切換レバー４により浄水を選択した場合には、水道水は水流切換機構部５からカートリッジ１に通水され、活性炭、中空糸膜により浄化が行われる。カートリッジ１を通過した浄水は、浄水器の下端面に複数個設けられた浄水出口２へと送水され、浄水出口からシャワー状に浄水器外へと吐水される。
カートリッジ１、水流切換機構部５については詳細を図示していないが、従来より公知の浄水器に使用のものを用いた。
【００１６】
複数個設けられた浄水出口２の周りには、最外周にある浄水出口から１．５ｍｍの位置に円周状に窪んだ溝部６が形成されている。溝部６は断面形状が三角の形状を有しており、深さが１ｍｍ、幅が４ｍｍの構造とした。
浄水器の外壁面に付着した水滴は、外壁面を伝って浄水器の下端面へと移動するが、浄水出口の周りに設けられた溝部により、移動を停止して乾燥するか、或いは水滴が浄水器下部へと落下するので、水滴が浄水器外壁面を伝って浄水出口に付着することはなく、従って浄水が逆汚染されることはない。
【００１７】
【発明の効果】
本発明の蛇口直結型浄水器は、浄水出口の外周部に溝部が設けられているので、浄水器外壁面を伝った雑菌等に汚染された水滴が、溝部により遮断され、水滴が浄水出口に到達することがないので、浄水出口が水滴により汚染されることがなく、よって浄水が再汚染されることを防止することができる。
【図面の簡単な説明】
【図１】図１は、本発明の一実施例である蛇口直結型浄水器の正面図（浄水出口付近のみ断面図）である。
【図２】図２は、本実施例の蛇口直結型浄水器の底面図である。
【符号の説明】
１  カートリッジ
２  浄水出口
３  蛇口取付部
４  切換レバー
５  水流切換機構部
６  溝部
７  原水出口
【図１】
0003787370.tif 000002
【図２】
0003787370.tif 000003